(57)【要約】      （修正有）【課題】パソコンへのデータ入力が楽になるキーボード用の書類台の提供。【解決手段】本考案に係るキーボード用書類台１は、テンキー部１９を除くキーボード１３の上部を覆いうる載せ板３を備えている。この載せ板３の前後端にそれぞれ下方に折れ曲がってなる前脚５と後脚７とを備えている。この前脚５と後脚７とは、上記キーボード１３が置かれた平面１５からキーボード１３を跨ぐ高さを備えている。上記後脚７にはコード類２１を通すための切り欠き部を備えている。上記後脚７が上記載せ板３となす角度αが９０°以上１２０°以下であることが占有面積節約及び製造上の面から好ましい。上記前脚５が上記載せ板３となす角度βは、上記角度αより大きいことが好ましい。【選択図】図１
0003105361.tif 000002
【実用新案登録請求の範囲】
【請求項１】
テンキー部を除くキーボードの上部を覆いうる載せ板と、
この載せ板の前後端にそれぞれ下方に折れ曲がってなり、上記キーボードが置かれた平面からキーボードを跨ぐ高さを有する前脚と後脚と
を備えており、
上記後脚にはコード類を通すための切り欠き部を備えている
キーボード用書類台。
【請求項２】
上記後脚が上記載せ板となす角度αが９０°以上１２０°以下で、上記前脚が上記載せ板となす角度βは、上記角度αより大きい請求項１に記載のキーボード用書類台。
【考案の詳細な説明】
【技術分野】
【０００１】
本考案は、パソコン等のキーボード用書類台に関する。
【背景技術】
【０００２】
事務机の上は、スペースが限られており、当面の書類の他は、参照用の表等も置きにくいことが多い。パソコンの本体は、最近、縦に置かれて机上の平面面積が節約されている。ディプレーも薄型が主流になっており、省スペースは進んでいる。キーボードについては、作業能率が低下する等の問題があるため、容易に小型化が図られない。キーボードの省スペースは、実現しにくく、書類の置き場も制約される。
【０００３】
パソコンにデータを入力する際に、オペレーターは、書類をキーボードの横に置いている。オペレーターは、この書類とキーボードとに交互に視線を走らせてデータを確認し、これを入力することを繰り返す。このときのデータとキーとの間の隔たりが大きいほど、オペレーターの首と視線との往復運動が大きく肉体的にも疲れる。オペレーターは、細かい数字の羅列を瞬時に読み取り素早く指を動かしている。オペレーターは、入力ミスをしないように精神的集中が必要とされるため肉体的な疲労以上に精神的な疲労が大きい。
【考案の開示】
【考案が解決しようとする課題】
【０００４】
キーボードには、ワープロ入力又はプログラムソフトの操作等に用いられる書き込みキー部と、０から９までの数字キーを中心にまとめられているテンキー部とがある。オペレーターによる実際の入力作業では、ほとんどテンキー部からの入力で占められことが多い。数字が並んだ書類は、当面使用していない上記書き込みキーの上に置かれ、テンキーからデータが入力されることもある。この場合は、書類が飛びそうになったりするとあわてて書類を押さえる。その動作により、不要なキーを押してしまい入力したデータがだめになる場合が生じる。本考案は、上記のような現状に鑑みてなされたものであり、パソコンへのデータ入力が楽になるキーボード用の書類台の提供を目的としている。
の提供にある。
【課題を解決するための手段】
【０００５】
本考案に係るキーボード用書類台は、テンキー部を除くキーボードの上部を覆いうる載せ板と、この載せ板の前後端にそれぞれ下方に折れ曲がってなり、上記キーボードが置かれた平面からキーボードを跨ぐ高さを有する前脚と後脚とを備えている。上記後脚にはコード類を通すための切り欠き部を備えている。
【０００６】
上記後脚が上記載せ板となす角度αが９０°以上１２０°以下で、上記前脚が上記載せ板となす角度βは、上記角度αより大きいことが好ましい。
【考案の効果】
【０００７】
このキーボード用書類台は、キーボードを跨いでキーの上を覆っているので、キーに触れずに書類が載せられる。書類を指で押さえる等の動作が行われた場合でも入力済みのデータが壊れることがない。テンキーが書類台から開放されているので、視線を大きく動かすことなく数字等の入力が楽にできる。このキーボード用書類台は、キーボードの上のどこにも支持されておらず独立している。また、このキーボード用書類台は、シンプルな構造であるために動かすことに無用な制約がない。操作キーから入力する必要があるときは、このキーボード用書類台を左右いずれかにずらして書き込みキーを書類台からオープンにすればよいだけである。オペレータは、このキーボード用書類台に関して何も気遣うことがない。視線及び首の移動が少なく、視野の範囲内で入力できるので、精神的及び肉体的な疲労が少ない。
【考案を実施するための最良の形態】
【０００８】
以下、適宜図面が参照されつつ、好ましい実施形態に基づいて本考案が詳細に説明される。
【０００９】
図１は、本考案の一実施形態に係るキーボード用書類台１（以下「書類台」という）の使用の様子が示された斜視図である。図２は、書類台１が示された平面図である。図３は、書類台１の右側面図であり、図４は、書類台１の正面図、図５は、同じく背面図である。この書類台１は、載せ板３と、前脚５と、後脚７とを備えている。後脚７には、図２及び図５に示されているように、切り欠き部９が備えられている。
【００１０】
書類台１の材質は、書類が載せられる形態であれば、特に制限はなく、合成樹脂、木質及び金属製のいずれも用いうる。この材質は、軽量であり、製造が容易で、安価であるという面から合成樹脂製が好ましい。合成樹脂の場合は、表面形状、色彩等のデザインが多様に形成しやすい点からもより好適に用いられる。合成樹脂としては、柔軟性が大きすぎるものを除き、ポリエチレン、ポリエステル、ポリ塩化ビニル、ポリアミド、ポリウレタン、他多数の種類のものが使用できる。これらの単独又は複合された樹脂が着色されて用いられてもよい。
【００１１】
例えば、全体が透明な書類台１に形成することもできる。透明樹脂としては、メタクリル系樹脂（メチルメタクリレート−ブタジエン−スチレン共重合樹脂（ＭＢＳ）、メチルメタクリレート−アクリロニトリル−ブタジエン−スチレン（ＭＡＢＳ）、スチレン−メチルメタクリレート樹脂（ＭＳ）等）、スチレン系樹脂（スチレン−ブタジエン−スチレン（ＳＢＳ）、アクリロニトリル−ブタジエン−スチレン樹脂（ＡＢＳ）、アクリロニトリル−スチレン共重合樹脂（ＡＳ）等）、ポリカーボネート樹脂、ポリメチルペンテン樹脂、ポリエチレンテレフタレート樹脂（ＰＥＴ）が例示される。透明度の点からは、通称アクリル樹脂と呼ばれるメタクリル樹脂がより好ましく、次いで塩化ビニル樹脂、ポリカーボネート樹脂である。
【００１２】
図１及び図３に示されているように、載せ板３は、上記キーボード１３が置かれた平面１５からキーボード１３を跨ぐ高さを有する前脚５と、後脚７とに支持されている。載せ板３は、キーボード１３の上部を覆うことができる。載せ板３は、平坦な板状であることから大きく逸脱しない範囲で凹凸起伏等があってもよい。この前脚５と、後脚７とは、載せ板３の前後端にそれぞれ下方に折れ曲がって形成されている。この前脚５と、後脚７とは通常、載せ板３と同じ材質により一体的に形成されてなる。デザイン上又は製造上、要すれば異なる材質の前脚５又は後脚７が載せ板３に溶融又は接着等により接合されてもよい。
【００１３】
載せ板３の形状は、書類を載せうる限り好みにより、自由に選択されうる。載せ板３の平面形状は、省スペースの観点から通常、方形を基本として形成される。デザイン上、載せ板３の形状に曲線部分が設けられてもよい。安価に製造する上からは、特に載せ板３の前後端は、互いに平行又は略平行である方が好ましい。図３に示されているように、キーボード１３のキー１７の表面と載せ板３との平均間隔Ｔは、通常、１ｍｍ以上３０ｍｍ以下程度であることが好ましい。この間隔Ｔが小さすぎると、載せ板３の材質が撓む場合にキー１７が載せ板３に接触することがある。この場合は、データ入力に支障が生じる恐れがある。この間隔Ｔが大きすぎると、書類の位置が高すぎてデータが見にくくなり、又無駄な空間が生じる。
【００１４】
載せ板３のキーボード１３を覆う大きさは、テンキー部１９を除く部分を全て覆う大きさ又はそれより小さいことが好ましい。しかし、この大きさが多少上記の範囲を超えた場合でも大きな障害とはならない。例えば、キーボード１３の種類が変更された結果、書類台１がテンキー部１９の一部も覆う大きさを備えるに至った場合でも、書類台１を若干ずらすだけで支障なく用いうる。このキーボード１３を覆う書類台１のキーボード１３の長手方向（巾）の大きさは、書類の置きやすさの面から巾全長の１／５以上であることが好ましい。
【００１５】
上記のようにキーボード１３の大きさ及び形状は、異なる場合がある。書類台１の大きさ及び形状は、扇型、凹曲面等の形状の特殊なキーボードを除き、平均的なキーボード１３を想定して設定される。図２及び図３に示されているように、書類台１の寸法は、具体的には、最大高さＰが５ｃｍから８ｃｍ、載せ板３の巾Ｑが１０ｃｍ以上４０ｃｍ以下及び奥行きＲが２０ｃｍから２５ｃｍであることが好ましい。
【００１６】
上記後脚７に備えられている切り欠き部９にはコード類２１が通される。この切り欠き部９の高さＪは、後脚７の高さ（この例では最大高さＰ）の１／３から後脚の上端２３までが空間的な余裕を有する点から好ましい。切り欠き部９の巾Ｋは、後脚７にがたつき等がなく安定して置かれる限り特に限定されない。この図５に示されているように、書類台１の切り欠き部９の例では、台形状の切り欠き部９が後脚７の巾方向中央部におよそ３割の面積を占めている。後脚７がキーボード１３用のコード類２１に乗り上げることなく、この切り欠き部９からコード類２１を通すことができる。
【００１７】
前脚５には必要ではないが、図４に示されているように前脚の切り欠き部２５があってもよい。前脚の切り欠き部２５により二本脚で支える方が軽快感を生じるため好ましい場合がある。切り欠きのない前脚５は、平面１５と線接触して隙間が生じることがある。二本脚を備えた前脚５では、線接触する場合よりも、がたつきが少なく安定する場合が多い。この切り欠き部２５には、要すれば、例えばマウスのコード又は外付け機器用のコード類を通してもよい。
【００１８】
図３に示されているように、上記後脚７が上記載せ板３となす角度αが９０°以上１２０°以下であることが省スペースの観点から好ましい。この角度αが９０°より小さいと、樹脂が用いられた場合に製造しにくいことが多い。またこの角度αが１２０°より大きいと無駄な空間が生じることが多い。上記前脚５が上記載せ板３となす角度βは、上記角度αより大きいことが好ましい。通常キーボード１３は、後方から前方に傾斜して形成されている。書類台１のデザインもこの傾斜に沿う方が安定した感覚が得られる。なだらかな形状で見栄えがよい面から角度βは、上記のように設定されることが好ましい。
【００１９】
この書類台１が用いられたデータ入力作業では、テンキー部１９が入力用書類が書類に隣接しているためオペレーターがデータを読み取りやすい。書類台１が用いられない場合に比べて、オペレーターの首や、視線の移動が少ないので精神的及び肉体的な疲労が軽減される。
【００２０】
図６（ａ）は、本考案の他の実施形態に係る書類台３１が示された平面図であり、図６（ｂ）は、その裏面図である。この書類台３１も載せ板３３と、前脚３５と、後脚３７とを備えている。上記載せ板３３は、テンキー部を除くキーボードの上部を覆うことができる。前脚３５と、後脚３７とは、この載せ板３３の前後端にそれぞれ下方に折れ曲がって形成されている。この前脚３５と、後脚３７とは、上記キーボードが置かれた平面３９からキーボードを跨ぐ高さを備えている。
【００２１】
上記後脚３７にはコード類を通すための切り欠き部４１が備えられている。この切り欠き部４１は後脚３７の一端から中央に向かって形成されている。キーボードのコード類は、この切り欠き部４１から後脚３７を通される。この書類台３１はコード類がキーボードの右側に接続されているタイプのキーボードにより適している。しかし、コード類が左側についているものでも通常コードの長さに余裕があるため、右付きのものと同様に用いうる。この書類台２３も書類台１と同様に入力作業が楽に行われうる。
【産業上の利用可能性】
【００２２】
本考案は、パソコンその他事務機器のキーボード用書類台に適用されうる。
【図面の簡単な説明】
【００２３】
【図１】図１は、本考案の一実施形態に係る書類台の使用の様子が示された斜視図である。
【図２】図２は、図１の書類台が示された平面図である。
【図３】図３は、図１の書類台が示された右側面図である。
【図４】図４は、図１の書類台が示された正面図である。
【図５】図５は、図１の書類台が示された裏面図である。
【図６】図６は、本考案の他の実施形態に係る書類台が示された平面図及び裏面図である。
【符号の説明】
【００２４】
１、３１・・・書類台
３、３３・・・載せ板
５、３５・・・前脚
７、３７・・・後脚
９、４１・・・切り欠き部
１３・・・キーボード
１７・・・キー
１９・・・テンキー部
２１・・・コード類
２３・・・後脚の上端  
【図１】
0003105361.tif 000003
【図２】
0003105361.tif 000004
【図３】
0003105361.tif 000005
【図４】
0003105361.tif 000006
【図５】
0003105361.tif 000007
【図６】
0003105361.tif 000008